(57)【要約】【課題】被焼き模様形成物に形成される焼き模様を変化させる。【解決手段】本体１にパンを昇降するパン昇降手段２を設け、本体１内に電熱線からなるヒータ３、４を設け、ヒータ３の近傍のヒータ４側に仕切板５を設け、本体１のヒータ４の近傍のヒータ３側に案内手段６を固定し、案内手段６に案内される焼き模様形成手段７を設け、焼き模様形成手段７のピン支持手段１４に移動可能に焼き模様形成ピン１０を支持し、焼き模様形成ピン１０を両側の径大部１１、１２と中央部の径小部１３とから構成する。【選択図】        図１
2004329240.tif 000002
【特許請求の範囲】
【請求項１】
ヒータの近傍にピン支持手段に複数の焼き模様形成ピンを移動可能に支持した焼き模様形成手段を設けたことを特徴とする焼き模様形成装置。
【請求項２】
移動体と、上記移動体を移動する駆動手段と、上記移動体に少なくとも１列に並べて設けられかつ発熱する焼き模様形成ピンと、上記駆動装置による移動体の移動および上記焼き模様形成ピンの発熱を制御する制御手段とを具備したことを特徴とする焼き模様形成装置。
【発明の詳細な説明】
【０００１】
【発明の属する技術分野】
本発明はパンなどに絵、文字などの焼き模様を形成する焼き模様形成装置に関するものである。
【０００２】
【従来の技術】
従来の焼き模様形成手段を備えたトースタにおいては、ヒータの電熱線を焼き模様に応じて配置している。
【０００３】
【発明が解決しようとする課題】
しかし、このようなトースタにおいては、パンに形成される焼き模様を変化させることはできない。
【０００４】
本発明は上述の課題を解決するためになされたもので、被焼き模様形成物に形成される焼き模様を変化させることができる焼き模様形成装置を提供することを目的とする。
【０００５】
【課題を解決するための手段】
この目的を達成するため、本発明においては、ヒータの近傍にピン支持手段に複数の焼き模様形成ピンを移動可能に支持した焼き模様形成手段を設ける。
【０００６】
また、移動体と、上記移動体を移動する駆動手段と、上記移動体に少なくとも１列に並べて設けられかつ発熱する焼き模様形成ピンと、上記駆動装置による移動体の移動および上記焼き模様形成ピンの発熱を制御する制御手段とを設ける。
【０００７】
【発明の実施の形態】
図１は本発明に係るトースタ（焼き模様形成装置）を示す概略正断面図、図２は図１に示したトースタを示す概略平断面図、図３は図１、図２に示したトースタの焼き模様形成手段の一部を示す正面図、図４は図３に示した焼き模様形成手段の一部を示す側断面図である。図に示すように、本体１にパンを昇降するパン昇降手段２が設けられ、パン昇降手段２は使用者が把手（図示せず）を押し下げると、本体１内に挿入されたパンを下降することができ、また本体１内に設けられた温度検出器（図示せず）により検出された温度が所定値に達したとき、本体１内のパンを上昇させる。また、本体１内に電熱線からなるヒータ３、４が設けられ、ヒータ３の近傍のヒータ４側に仕切板５が設けられ、本体１に案内手段６が固定され、案内手段６はヒータ４の近傍のヒータ３側に位置している。また、案内手段６に案内される焼き模様形成手段７が設けられ、焼き模様形成手段７を案内手段６に沿って本体１内に挿入することができ、また焼き模様形成手段７を案内手段６に沿って本体１内から取り出すことができる。また、焼き模様形成手段７の枠体８に複数の支持体９が固定され、枠体８と支持体９とで平面状のピン支持手段１４を構成している。また、ピン支持手段１４に移動可能に焼き模様形成ピン１０が支持されており、焼き模様形成ピン１０の移動方向はピン支持手段１４の表面（図４紙面直角方向の面）と直角であり、また焼き模様形成ピン１０は両側の径大部１１、１２と中央部の径小部１３とから構成され、径小部１３が枠体８と支持体９との間または支持体９と支持体９との間に位置しており、焼き模様形成ピン１０にある程度の力を作用させたときに、焼き模様形成ピン１０をピン支持手段１４に対して図４紙面左右方向に移動することができる。そして、縦方向（図１紙面上下方向）の焼き模様形成ピン１０の本数をたとえば４０本とし、横方向（図２紙面上下方向）の焼き模様形成ピン１０の本数をたとえば５０本とする。
【０００８】
図５は図１〜図４に示したトースタに使用するピン選択移動手段を示す図であり、（ａ）は正面図、（ｂ）は側面図である。図に示すように、本体２１に突出部２２が設けられており、突出部２２は焼き模様に対応した形状たとえば図５では文字「Ａ」の形状であり、また本体２１の大きさは焼き模様形成手段７のピン支持手段１４の大きさとほぼ等しく、また突出部２２の突出量は焼き模様形成ピン１０の移動距離すなわち径小部１３の長さ（図２紙面左右方向寸法）からピン支持手段１４の厚さを減算した長さよりも大きい。
【０００９】
この焼き模様形成装置においては、まず本体１内から焼き模様形成手段７を取り出し、焼き模様形成手段７の焼き模様形成ピン１０に図１紙面右方の力を作用させることにより、全ての焼き模様形成ピン１０をピン支持手段１４に対して図１紙面右方に移動させたのち、焼き模様形成手段７に図５に示したピン選択移動手段を図１紙面右側に押し当てると、径大部１２が突出部２２と接触した焼き模様形成ピン１０が突出部２２に図１紙面左方に押されて、押された焼き模様形成ピン１０が図１紙面左方に移動する。この場合、文字「Ａ」状に焼き模様形成ピン１０が図１紙面左方に突出する。つぎに、この焼き模様形成手段７を案内手段６に沿って本体１内に挿入する。つぎに、本体１内にパンを挿入し、パン昇降手段２によりパンを下降させると、文字「Ａ」状に突出した焼き模様形成ピン１０がパンに接触する。つぎに、ヒータ３、４を作動させると、仕切り板５、焼き模様形成手段７が加熱されて、パンが焼かれ、またパンの表面の文字「Ａ」状に突出した焼き模様形成ピン１０が接触した部分に焼き目が形成され、パンの表面に焼き模様が形成される。
【００１０】
このような焼き模様形成装置においては、ピン支持手段１４に対して焼き模様形成ピン１０を移動することができ、パンの表面の突出した焼き模様形成ピン１０が接触した部分に焼き目が形成されるから、パンの表面に形成される焼き模様を変化させることができる。
【００１１】
なお、上述実施の形態においては、ピン選択移動手段を使用して焼き模様形成ピン１０をピン支持手段１４に対して移動したが、使用者が爪楊枝等を使用して焼き模様形成ピン１０をピン支持手段１４に対して移動してもよい。また、上述実施の形態においては、ピン選択移動手段を使用して焼き模様形成ピン１０をピン支持手段１４に対して移動したが、ワイヤドットプリンタのヘッドと同様に構造のピン移動ヘッドを焼き模様形成手段７に対して移動しながら、ピン移動ヘッドのワイヤにより焼き模様形成手段７の焼き模様形成ピン１０を選択的に押すことにより、焼き模様形成ピン１０の一部を焼き模様に対応して選択的に突出させてもよい。この場合、所定の焼き模様を形成するためにはどの焼き模様形成ピン１０を選択的に突出されるのかの模様情報によりピン移動ヘッドを作動させてもよい。この場合、パーソナルコンピュータ、携帯電話から模様情報をピン移動ヘッドに送信してもよい。
【００１２】
図６は本発明に係る他の焼き模様形成装置を示す図、図７は図６のＡ矢視図である。図に示すように、駆動手段３１によって昇降される昇降体３２が設けられ、駆動手段３１は制御手段３４により制御される。また、昇降体３２に複数本の焼き模様形成ピン３３が一列に並べて固定され、焼き模様形成ピン３３は自ら発熱することができ、焼き模様形成ピン３３の発熱は制御手段３４により制御される。また、焼き模様形成ピン３３の下方部に搬送手段３５が設けられ、まんじゅう、おにぎり等の被焼き模様形成物３６は搬送手段３５により搬送される。そして、搬送手段３５は被焼き模様形成物３６を焼き模様形成ピン３３のピッチと同様の距離すなわちピッチ距離だけ移動したのち停止するという動作を繰り返す。
【００１３】
この焼き模様形成装置においては、まず焼き模様形成ピン３３を選択的に発熱させた状態で、駆動手段３１が昇降体３２を下降させ、焼き模様形成ピン３３の先端部を被焼き模様形成物３６に押し付けると、被焼き模様形成物３６の選択的に発熱された焼き模様形成ピン３３が押し付けられた部分に焼き目が形成される。つぎに、駆動手段３１が昇降体３２を上昇させ、搬送手段３５が被焼き模様形成物３６をピッチ距離だけ移動したのち、焼き模様形成ピン３３を選択的に発熱させた状態で、駆動手段３１が昇降体３２を下降させると、上述のように被焼き模様形成物３６の選択的に発熱された焼き模様形成ピン３３が押し付けられた部分に焼き目が形成される。このような動作を繰り返すことにより、焼き模様形成ピン３３の表面に焼き模様が形成される。
【００１４】
このような焼き模様形成装置においては、焼き模様形成ピン３３を選択的に発熱させた状態で、被焼き模様形成物３６に焼き模様形成ピン３３を押し付けるから、被焼き模様形成物３６に形成される焼き模様を変化させることができる。
【００１５】
なお、上述実施の形態においては、昇降体３２に複数本の焼き模様形成ピン３３が一列に並べて固定したが、昇降体３２に複数本の焼き模様形成ピン３３を複数列並べて固定してもよい。また、上述実施の形態においては、移動体として昇降体３２を用いたが、移動体を水平方向に移動してもよい。
【００１６】
【発明の効果】
本発明に係る焼き模様形成装置においては、ピン支持手段に対して焼き模様形成ピンを移動することができ、パンの表面の突出した焼き模様形成ピンが接触した部分に焼き目が形成されるから、パンの表面に形成される焼き模様を変化させることができる。
【００１７】
また、本発明に係る他の焼き模様形成装置においては、焼き模様形成ピンを選択的に発熱させた状態で、被焼き模様形成物に焼き模様形成ピンを押し付けるから、被焼き模様形成物に形成される焼き模様を変化させることができる。
【図面の簡単な説明】
【図１】本発明に係るトースタを示す概略正断面図である。
【図２】図１に示したトースタを示す概略平断面図である。
【図３】図１、図２に示したトースタの焼き模様形成手段の一部を示す正面図である。
【図４】図３に示した焼き模様形成手段の一部を示す側断面図である。
【図５】図１〜図４に示したトースタに使用するピン選択移動手段を示す図である。
【図６】本発明に係る他の焼き模様形成装置を示す図である。
【図７】図６のＡ矢視図である。
【符号の説明】
３…ヒータ
４…ヒータ
７…焼き模様形成手段
１０…焼き模様形成ピン
１４…ピン支持手段
３１…駆動手段
３２…昇降体
３３…焼き模様形成ピン
３４…制御手段
【図１】
2004329240.tif 000003
【図２】
2004329240.tif 000004
【図３】
2004329240.tif 000005
【図４】
2004329240.tif 000006
【図５】
2004329240.tif 000007
【図６】
2004329240.tif 000008
【図７】
2004329240.tif 000009